(57)【要約】【課題】作動が安定したパイプレンチを提供する。【解決手段】パイプレンチは本体１０、２個の結合ブロック２０、第二結合部材３２、第三結合部材３３、嵌着ブロック４０及び弾性部材５０を備え、本体１０の上下凹みには第一枢部１１を設置し、２個の第一収容設置部１１１を形成し、嵌着ブロック４０の上下凹みには第四枢部４１を設置し、第二収容設置部４１１を形成し、第一枢部１１及び第四枢部４１は２個の結合ブロック２０により相互に枢連し、２個の結合ブロック２０は第一収容設置部１１１及び第二収容設置部４１１に収容設置され、本体１０と嵌着ブロック４０との間には弾性部材５０を設置し、弾性部材５０の弾力により嵌着ブロック４０一端の第二端部４４は本体１０一端の第二凹エッジ１４内に嵌入する。【選択図】図１
0003205597.tif 000002
【実用新案登録請求の範囲】
【請求項１】
パイプレンチは、本体、２個の結合ブロック、第一結合部材ないし第四結合部材、嵌着ブロック及び弾性部材を備え、
該本体には、第一枢部を設置し、該第一枢部の厚みは、該本体の厚みのおよそ半分で、該第一枢部の上下端と該本体との間の高低差を有する領域には、それぞれ第一収容設置部を形成し、
該本体は、該第一枢部から外側へと順番に２個の第一凹エッジ及び２個の第一転回面を設置し、
該本体は、該第一枢部から離れた位置に、第二凹エッジを設置し、該凹エッジ面及び該第一転回面は、該第一枢部と該第二凹エッジとの間に設置し、該本体端部の該第二凹エッジに近い位置には、第一端部を設置し、該第一端部は該第一枢部から最も遠く、該本体には、第一容弾槽を設置し、該第一容弾槽は、該第一枢部位置に近く、該第一枢部は、該第一容弾槽と該第一転回面の間に設置し、該本体には、第一接触エッジを設置し、該第一接触エッジは、該第一枢部と該第一容弾槽に近く、
該２個の結合ブロックの各結合ブロックは、該各第一収容設置部に設置され、該２個の結合ブロックは、第一枢部に対応し対称状を呈し、該結合ブロックは、第二枢部及び第三枢部を設置し、該第二枢部は、本体の第一枢部と枢設され、該第二枢部及び第三枢部はともに円孔状で相同の直径を備え、
該第一結合部材は、該結合ブロックの第二枢部、第一枢部及びもう一つの結合ブロックの第二枢部内を貫通して設置され、これにより該本体の第一枢部は、該結合ブロックの第二枢部と相互に枢設され、
該嵌着ブロックには、第四枢部を設置し、該第四枢部は、該結合ブロックの第三枢部と相互に枢設し、該第四枢部の厚みは該嵌着ブロックの厚みのおよそ半分で、該第四枢部の上下端と該嵌着ブロックとの間の高低差を有する領域には、それぞれ第二収容設置部を形成し、該２個の第二収容設置部は第四枢部に相対し対称状を呈し、該各結合ブロックは、該本体の各第一収容設置部と各第二収容設置部に収容設置され、該嵌着ブロックには、順番に隣り合う２個の第二
転回面を設置し、該２個の第一転回面及び２個の第二転回面は、およそ六角槽状を構成し、該２個の第二転回面間には、第三凹エッジを設置し、該嵌着ブロック端部には、第二端部を設置し、該第二端部は、第四枢部位置から遠く、該第二端部は、第二凹エッジ内に収容され、該第二端部は、該本体の第一端部に沿って、該第二凹エッジ内に導入され、該本体は、該第四枢部に近い位置に、第二容弾槽を設置し、該第二容弾槽と該第一容弾槽とは正面対応し、該嵌着ブロック一端には、フリップ部を設置し、該フリップ部は、該第一枢部に近く、該第二端部から遠く、該嵌着ブロックには、第二接触エッジを設置し、該第二接触エッジは該第一接触エッジと相互に接触し、該第二接触エッジは、該第二容弾槽位置に接近し、
該第三結合部材は、該結合ブロックの第三枢部、第四枢部及びもう一つの結合ブロックの第三枢部内を通過し、これにより該結合ブロックの第三枢部は、該嵌着ブロックの第四枢部と相互に枢設し、
該弾性部材一端は、該本体の第一容弾槽内に弾力接触し、該弾性部材の反対端は、該嵌着ブロックの第二容弾槽内に弾力接触し、これにより該本体及び該２個の結合ブロック間に弾性枢設し、該２個の結合ブロックと該嵌着ブロック間もまた相互に弾性枢設し、該弾性部材の弾性作用力により、該嵌着ブロックの第二端部は第一凹エッジ位置に収容されることを特徴とするパイプレンチ。
【請求項２】
前記第一転回面は、凸弧状を呈し、
該第一凹エッジは、凹弧状を呈し、
該第二転回面と該第一転回面とは相同の形状で、
該第二転回面は、凸弧状を呈し、
該第三凹エッジは、凹弧面状を呈することを特徴とする請求項１に記載のパイプレンチ。
【請求項３】
前記第二凹エッジは、単一弧形状を呈し、
該第二凹エッジと該第一凹エッジとは、違った形状であることを特徴とする請求項１に記載のパイプレンチ。
【請求項４】
前記第二端部は、単一弧形状を呈することを特徴とする請求項１に記載のパイプレンチ。
【請求項５】
前記第一容弾槽及び該第二容弾槽は、それぞれ円孔槽状を呈することを特徴とする請求項１に記載のパイプレンチ。
【請求項６】
前記パイプレンチの柄体両端は、該本体の枢端とそれぞれ相互に枢設することを特徴とする請求項１に記載のパイプレンチ。
【請求項７】
前記パイプレンチの柄体一端は、該本体の枢端と枢接し、反対端は、ラチェットレンチ頭部、或いは開口端、或いは各手工具の頭部であることを特徴とする請求項１に記載のパイプレンチ。
【請求項８】
前記第一結合部材の内ネジヤマと該第二結合部材の外ネジヤマとは螺合し、
該第三結合部材の内ネジヤマと該第四結合部材の外ネジヤマとは螺合することを特徴とする請求項１に記載のパイプレンチ。
【考案の詳細な説明】
【技術分野】
【０００１】
本考案はパイプレンチに関し、特にパイプ部材を駆動する手工具であるパイプレンチに関する。
【背景技術】
【０００２】
特許文献１に開示する従来のパイプレンチは、本体片側単軸に挟ブロックを枢接し、管体上の螺合部材を回す。
しかし、それはある角度に回した後は、螺合部材と完全に離し、改めて嵌合しなければ回転を継続しなければならないため、作業時間を浪費してしまう。
【０００３】
特許文献２に開示するもう一つの従来のパイプレンチは、本体に挟ブロックを枢連する。
しかし、その枢連構造は堅固でなく、螺合部材と接触作用を揺する構造も比較的弱く、しかも多数の挟ブロックを枢連する時の構造も非常に複雑で、各挟ブロック移動のルートは不安定で、使用上の不便を引き起こしている。
本考案は、従来のパイプレンチの上記した欠点に鑑みてなされたものである。
【先行技術文献】
【特許文献】
【０００４】
【特許文献１】米国特許第ＵＳ４９６７６１２号
【特許文献２】米国特許第ＵＳ６９７８７０１号
【考案の概要】
【考案が解決しようとする課題】
【０００５】
本考案が解決しようとする課題は、作動が安定したパイプレンチを提供することである。
【課題を解決するための手段】
【０００６】
上記課題を解決するため、本考案は下記のパイプレンチを提供する。
パイプレンチは、作動が安定したパイプレンチで、本体、２個の結合ブロック、第二結合部材、第三結合部材、嵌着ブロック及び弾性部材を備え、
該本体上下凹みには、第一枢部を設置し、２個の第一収容設置部を形成し、
該嵌着ブロック上下凹みには、第四枢部を設置し、第二収容設置部を形成し、
該第一枢部及び該第四枢部は、２個の結合ブロックにより相互に枢連され、
該２個の結合ブロックは、第一収容設置部及び第二収容設置部に収容設置され、
該本体と該嵌着ブロックとの間には、弾性部材を設置し、該弾性部材の弾力により、該嵌着ブロック一端の第二端部は、該本体一端の第二凹エッジ内に嵌入される。
【考案の効果】
【０００７】
本考案のパイプレンチは、作動が安定し、使用の利便性が高い。
【図面の簡単な説明】
【０００８】
【図１】本考案パイプレンチの立体分解図である。
【図２】本考案パイプレンチ係合部材の立体図である。
【図３】本考案パイプレンチの立体組合せ図である。
【図４】本考案パイプレンチの側視図である。
【図５】図４中のＡ-Ａ位置における断面図である。
【図６】本考案パイプレンチの操作状態の上視図である。
【図７】本考案パイプレンチが逆時計回りに抜ける様子を示す上視図である。
【図８】本考案パイプレンチの別種の操作状態の上視図である。
【図９】本考案第二実施形態の立体図である。
【考案を実施するための形態】
【０００９】
以下に図面を参照しながら本考案を実施するための最良の形態について詳細に説明する。
【実施形態】
【００１０】
図１〜５に示すように、本考案パイプレンチは、本体１０、２個の結合ブロック２０、第二結合部材３２、第三結合部材３３、嵌着ブロック４０及び弾性部材５０を備える。
【００１１】
該本体１０には、第一枢部１１を設置し、該第一枢部１１の厚みはおよそ本体１０の厚みの半分で、該第一枢部１１の上下端と該本体１０との間の高低差には、それぞれ第一収容設置部１１１を形成する。
【００１２】
該本体１０は、該第一枢部１１から外側へと、２個の第一転回面１２及び２個の第一凹エッジ１３を設置し、凸弧状である２個の第一転回面１２と凹弧状である２個の第一凹エッジ１３は順番に交差して隣り合う。
【００１３】
該本体１０は、該第一枢部１１から離れた位置に、単一弧形状を呈する第二凹エッジ１４を設置する。
【００１４】
該第一転回面１２及び該第一凹エッジ１３は、該第一枢部１１と該第二凹エッジ１４との間に設置し、該第二凹エッジ１４と該第一凹エッジ１３とは、違った形状である。
【００１５】
該本体１０端部の第二凹エッジ１４に近い位置には、第一端部１５を設置し、第一端部１５は、第一枢部１１から最も遠い。
【００１６】
該本体１０には、第一容弾槽１６を設置し、該第一容弾槽１６は、該第一枢部１１位置に近い。
【００１７】
該第一枢部１１は、該第一容弾槽１６と該第一転回面１２の間に設置し、該第一容弾槽１６は、円孔槽状を呈する。
【００１８】
該本体１０には、第一接触エッジ１７を設置し、該第一接触エッジ１７は、該第一枢部１１位置に近く、該第一接触エッジ１７は、該第一容弾槽１６に近い。
【００１９】
該本体１０一端には、枢端１８を設置し、該枢端１８と該第一端部１５とは遠い。
【００２０】
該各結合ブロック２０は、該各第一収容設置部１１１に収容して設置され、該２個の結合ブロック２０は、該第一枢部１１に対して対称である。
【００２１】
該結合ブロック２０には、第二枢部２１及び第三枢部２２を設置し、該第二枢部２１と該第一枢部１１とは枢接し、該第二枢部２１と該第三枢部２２の枢孔は相同の直径を備える。
【００２２】
第一結合部材３１は、該第二枢部２１及び該第一枢部１１を通過し、該第一結合部材３１端部は、内ネジヤマ状を呈する。
【００２３】
第二結合部材３２と該第一結合部材３１とは、相互に螺合し、該第二結合部材３２は、外ネジヤマ状を呈する。
【００２４】
嵌着ブロック４０には、第四枢部４１を設置し、該第四枢部４１と該第三枢部２２とは、相互に枢設する。
【００２５】
該第四枢部４１の厚みはおよそ嵌着ブロック４０の厚みの半分で、該第四枢部４１の上下端と該嵌着ブロック４０との間の高低差には、それぞれ第二収容設置部４１１を形成する。
【００２６】
２個の第二収容設置部４１１は、該第四枢部４１に対して対称で、該各結合ブロック２０は、該各第一収容設置部１１１と該各第二収容設置部４１１内に収容して設置される。
【００２７】
該嵌着ブロック４０には、順番に隣り合う２個の第二転回面４２を設置し、該２個の第一転回面１２及び該２個の第二転回面４２は、六角槽状を構成する。
【００２８】
該第二転回面４２と該第一転回面１２とは、相同の形状で、該第二転回面４２は、凸弧状を呈し、該２個の第二転回面４２の間には、凹弧面状を呈する第三凹エッジ４３を設置する。
【００２９】
該嵌着ブロック４０端部には、第二端部４４を設置し、該第二端部４４は、第四枢部４１から遠い。
【００３０】
該第二端部４４は、該本体１０の第一端部１５に沿って、該第二凹エッジ１４内に導入され、該第二凹エッジ１４内に収容して設置される。
【００３１】
該第二端部４４は、単一弧形状を呈し、該本体１０は、該第四枢部４１に近い位置に、円孔状を呈する第二容弾槽４５を設置する。
【００３２】
該第二容弾槽４５と該第一容弾槽１６とは、正面対応する。
【００３３】
該嵌着ブロック４０一端には、フリップ部４６を設置し、これにより使用者はフリップでき、該フリップ部４６は、該第一枢部１１に近く、該第二端部４４と遠い。
【００３４】
該本体１０には、第二接触エッジ４７を設置し、該第二接触エッジ４７と該第一接触エッジ１７とは、相互に接触し、該第二接触エッジ４７は、第二容弾槽４５位置に接近する。
【００３５】
該第三結合部材３３は、該２個の結合ブロック２０の第三枢部２２及び第四枢部４１を通過し、該第三結合部材３３の内ネジヤマと該第四結合部材３４の外ネジヤマとは螺合する。
【００３６】
該第一枢部１１と該第四枢部４１とは、該２個の結合ブロック２０を経て、相互に枢連する。
【００３７】
該弾性部材５０両端は、第一容弾槽１６及び第二容弾槽４５内にそれぞれ弾性接触し、該弾性部材５０の弾力により、該第二端部４４は、第一凹エッジ１４に収容される。
【００３８】
図６に示すように、該弾性部材５０の弾力により、該嵌着ブロック４０は、該本体１０上に接触する。
【００３９】
該２個の第一転回面１２と該２個の第二転回面４２とは、螺合部材６０の４個の辺面に対応し、該２個の第一凹エッジ１３及び第三凹エッジ４３は、螺合部材６０の３個の角端を収容し、時計回りに螺合部材６０を回転させる。
【００４０】
図７に示すように、該本体１０を逆時計回りに回すと、該本体１０と該嵌着ブロック４０は、弾性枢設状を呈し、該螺合部材６０の角端は、該第二転回面４２を押し開く。
【００４１】
これにより、該嵌着ブロック４０は、該本体１０から徐々に離れ、該本体１０及び該嵌着ブロック４０は、該螺合部材６０上に相対し自由に回転し、該本体１０が一角度の逆回転を行うと、該螺合部材６０を再度回すことができる。
【００４２】
図８に示すように、使用者は、手でフリップ部４６を動かし、該弾性部材５０の弾力を克服し、該嵌着ブロック４０を開き、該２個の第一転回面１２は、該螺合部材６０の２個の辺面に接触し、フリップ部４６を放す。
【００４３】
こうして、該弾性部材５０の弾力により、該嵌着ブロック４０は、該本体１０上に接触し、図６に示すように、該螺合部材６０を回し、該第二端部４４と該第一端部１５との間には、該螺合部材６０に螺合する管体を通過させるだけで良い。
【００４４】
図９に示すように、柄体７０の両端は各本体１０の枢端１８と枢設し、或いは柄体７０一端と本体１０の枢端１８とは枢設され、反対端はラチェットレンチ頭部、梅花端、開口端、或いは各式手工具の頭部である。
【００４５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４７】
１０    本体
１１    第一枢部
１１１  第一収容設置部
１２    第一転回面
１３    第一凹エッジ
１４    第二凹エッジ
１５    第一端部
１６    第一容弾槽
１７    第一接触エッジ
１８    枢端
２０    結合ブロック
２１    第二枢部
２２    第三枢部
３１    第一結合部材
３２    第二結合部材
３３    第三結合部材
４０    嵌着ブロック
４１    第四枢部
４１１  第二収容設置部
４２    第二転回面
４３    第三凹エッジ
４４    第二端部
４５    第二容弾槽
４６    フリップ部
４７    第二接触エッジ
５０    弾性部材
６０    螺合部材
７０    柄体
【図１】
0003205597.tif 000003
【図２】
0003205597.tif 000004
【図３】
0003205597.tif 000005
【図４】
0003205597.tif 000006
【図５】
0003205597.tif 000007
【図６】
0003205597.tif 000008
【図７】
0003205597.tif 000009
【図８】
0003205597.tif 000010
【図９】
0003205597.tif 000011
【手続補正書】
【提出日】平成28年6月8日(2016.6.8)
【手続補正１】
【補正対象書類名】実用新案登録請求の範囲
【補正対象項目名】全文
【補正方法】変更
【補正の内容】
【実用新案登録請求の範囲】
【請求項１】
パイプレンチは、本体、２個の結合ブロック、第一結合部材ないし第四結合部材、嵌着ブロック及び弾性部材を備え、
該本体には、第一枢部を設置し、該第一枢部の厚みは、該本体の厚みのおよそ半分で、該第一枢部の上下端と該本体との間の高低差を有する領域には、それぞれ第一収容設置部を形成し、
該本体は、該第一枢部から外側へと順番に２個の第一凹エッジ及び２個の第一転回面を設置し、
該本体は、該第一枢部から離れた位置に、第二凹エッジを設置し、凹エッジ面及び該第一転回面は、該第一枢部と該第二凹エッジとの間に設置し、該本体端部の該第二凹エッジに近い位置には、第一端部を設置し、該第一端部は該第一枢部から最も遠く、該本体には、第一容弾槽を設置し、該第一容弾槽は、該第一枢部位置に近く、該第一枢部は、該第一容弾槽と該第一転回面の間に設置し、該本体には、第一接触エッジを設置し、該第一接触エッジは、該第一枢部と該第一容弾槽に近く、
該２個の結合ブロックの各結合ブロックは、該各第一収容設置部に設置され、該２個の結合ブロックは、第一枢部に対応し対称状を呈し、該結合ブロックは、第二枢部及び第三枢部を設置し、該第二枢部は、本体の第一枢部と枢設され、該第二枢部及び第三枢部はともに円孔状で相同の直径を備え、
該第一結合部材は、該結合ブロックの第二枢部、第一枢部及びもう一つの結合ブロックの第二枢部内を貫通して設置され、これにより該本体の第一枢部は、該結合ブロックの第二枢部と相互に枢設され、
該嵌着ブロックには、第四枢部を設置し、該第四枢部は、該結合ブロックの第三枢部と相互に枢設し、該第四枢部の厚みは該嵌着ブロックの厚みのおよそ半分で、該第四枢部の上下端と該嵌着ブロックとの間の高低差を有する領域には、それぞれ第二収容設置部を形成し、該２個の第二収容設置部は第四枢部に相対し対称状を呈し、該各結合ブロックは、該本体の各第一収容設置部と各第二収容設置部に収容設置され、該嵌着ブロックには、順番に隣り合う２個の第二転回面を設置し、該２個の第一転回面及び２個の第二転回面は、およそ六角槽状を構成し、該２個の第二転回面間には、第三凹エッジを設置し、該嵌着ブロック端部には、第二端部を設置し、該第二端部は、第四枢部位置から遠く、該第二端部は、第二凹エッジ内に収容され、該第二端部は、該本体の第一端部に沿って、該第二凹エッジ内に導入され、該本体は、該第四枢部に近い位置に、第二容弾槽を設置し、該第二容弾槽と該第一容弾槽とは正面対応し、該嵌着ブロック一端には、フリップ部を設置し、該フリップ部は、該第一枢部に近く、該第二端部から遠く、該嵌着ブロックには、第二接触エッジを設置し、該第二接触エッジは該第一接触エッジと相互に接触し、該第二接触エッジは、該第二容弾槽位置に接近し、
該第三結合部材は、該結合ブロックの第三枢部、第四枢部及びもう一つの結合ブロックの第三枢部内を通過し、これにより該結合ブロックの第三枢部は、該嵌着ブロックの第四枢部と相互に枢設し、
該弾性部材一端は、該本体の第一容弾槽内に弾力接触し、該弾性部材の反対端は、該嵌着ブロックの第二容弾槽内に弾力接触し、これにより該本体及び該２個の結合ブロック間に弾性枢設し、該２個の結合ブロックと該嵌着ブロック間もまた相互に弾性枢設し、該弾性部材の弾性作用力により、該嵌着ブロックの第二端部は第一凹エッジ位置に収容されることを特徴とするパイプレンチ。
【請求項２】
前記第一転回面は、凸弧状を呈し、
該第一凹エッジは、凹弧状を呈し、
該第二転回面と該第一転回面とは相同の形状で、
該第二転回面は、凸弧状を呈し、
該第三凹エッジは、凹弧面状を呈することを特徴とする請求項１に記載のパイプレンチ。
【請求項３】
前記第二凹エッジは、単一弧形状を呈し、
該第二凹エッジと該第一凹エッジとは、違った形状であることを特徴とする請求項１に記載のパイプレンチ。
【請求項４】
前記第二端部は、単一弧形状を呈することを特徴とする請求項１に記載のパイプレンチ。
【請求項５】
前記第一容弾槽及び該第二容弾槽は、それぞれ円孔槽状を呈することを特徴とする請求項１に記載のパイプレンチ。
【請求項６】
前記パイプレンチの柄体両端は、該本体の枢端とそれぞれ相互に枢設することを特徴とする請求項１に記載のパイプレンチ。
【請求項７】
前記パイプレンチの柄体一端は、該本体の枢端と枢接し、反対端は、ラチェットレンチ頭部、或いは開口端、或いは各手工具の頭部であることを特徴とする請求項１に記載のパイプレンチ。
【請求項８】
前記第一結合部材の内ネジヤマと該第二結合部材の外ネジヤマとは螺合し、
該第三結合部材の内ネジヤマと該第四結合部材の外ネジヤマとは螺合することを特徴とする請求項１に記載のパイプレンチ。